(57)【要約】【課題】平面視で開断面を有する建物の梁間方向の架構を脆弱な構造にして居室空間を広くすることができ、また居室の設計の自由度を増すことができる建物の構造を提供する。【解決手段】平面視で開断面を有する集合住宅１，２の構造であって、第１の構造体１０ａと第２の構造体１０ｂが、それぞれ集合住宅の桁行方向（Ｂ方向）を向いて平面視で二列をなすとともに屈曲または湾曲して配置され、第１の構造体と第２の構造体の一方または両方の構造体が、平面視で直交二方向（Ｘ方向，Ｙ方向）に所定の剛性および耐力を有する剛強な構造であることにより直交二方向における建物の構造安全性を確保した。【選択図】    図２
2004316141.tif 000002
【特許請求の範囲】
【請求項１】
平面視で開断面を有する建物の構造であって、
第１の構造体と第２の構造体が、それぞれ建物の桁行方向を向いて平面視で二列をなすとともに屈曲または湾曲して配置され、
第１の構造体と第２の構造体の一方または両方の構造体が、平面視で直交二方向に所定の剛性および耐力を有する剛強な構造であることによりこの直交二方向における建物の構造安全性を確保したことを特徴とする建物の構造。
【請求項２】
屈曲または湾曲して二列をなす第１の構造体と第２の構造体とにより一つのブロックを構成し、このブロックを複数組み合わせて建物を構成したことを特徴とする請求項１に記載の建物の構造。
【請求項３】
建物は三つのブロックを組み合わせたＹ形のスターハウスであることを特徴とする請求項２に記載の建物の構造。
【請求項４】
建物は複数のブロックが組み合わされて複数のウイングを有しており、
少なくとも一つのウイングには、梁間方向に延びて建物のねじり剛性および耐力を向上させるための突出部が形成されていることを特徴とする請求項２または３に記載の建物の構造。
【請求項５】
建物の梁間方向の構造の剛性および耐力を軽微にするとともに、第１の構造体と第２の構造体の屈曲部または湾曲部およびこれらの近傍では梁間方向に梁および耐震壁を設けないようにしたことを特徴とする請求項１ないし４のいずれかの項に記載の建物の構造。
【請求項６】
第１の構造体側に共用廊下を設けるとともに第２の構造体側にバルコニーを設け、
第１の構造体を第２の構造体より剛強な構造にして、主として第１の構造体が平面視で直交二方向に所定の剛性および耐力を有してこの直交二方向における建物の構造安全性を確保していることを特徴とする請求項１ないし５のいずれかの項に記載の建物の構造。
【発明の詳細な説明】
【０００１】
【発明の属する技術分野】
本発明は、平面視で開断面を有する建物の構造に関する。
【０００２】
【従来の技術】
図８（Ａ）は、チューブ構造の従来の建物の平面図である。
図８（Ａ）に示すＹ形の建物１０１の構成は、特許文献１（特公平４−２７３４６号公報）にも記載されている。建物１０１は、ほぼ三角形（または、三角形の角が取れた形状）の中央部１０２の周囲にチューブ構造の三つの架構１０３を配置した集合体で構成されている。
【０００３】
一方、図８（Ｂ）は従来の建物の平面図で、図示する建物１１１は、典型的な開断面を有する建物であり矩形の板状平面形をなしている。
建物１１１の骨組構造体１１２は、桁行方向（ここでは、Ｘ方向）に延びて配置された第１の構造体１１３および第２の構造体１１４と、梁間方向（ここでは、Ｙ方向）に配置され、二つの構造体１１３，１１４に固定された複数の梁１１５とからなっている。これにより、骨組構造体１１２は、Ｘ方向，Ｙ方向に所定の剛性および耐力を有している。
【０００４】
特許文献２（特開平１０−２９２６５３号公報）には、開断面を有する建築物が記載されており、この建築物は、横方向に並べられた多数の客室が前後方向に順次ずれたいわゆる雁行配置された形態のものである。
【０００５】
【特許文献１】
特公平４−２７３４６号公報
【特許文献２】
特開平１０−２９２６５３号公報
【０００６】
【発明が解決しようとする課題】
前記特許文献１に記載の建物１０１では、図８（Ａ）に示すように、平面視で中央部１０２とチューブ構造の架構１０３との境界部分には、梁せい（梁成）の高い大梁１０４が存在している。この大梁１０４が、居室空間を狭くするとともに、居室の配置計画の障害にもなっていた。
たとえば、中央部１０２を含む居室（居間など）１０５を計画すると、この居室１０５に大梁１０４が出てしまう。そのため、この大梁１０４の位置は戸境にせざるを得ず、居室の設計が制約を受けていた。
また、大型住戸において中央部１０２を含む面積の大きな居室１０６を計画すると、この居室１０６に二つの大梁１０４が出てしまう場合もある。これを避けるために、大梁１０４の付近には面積の大きな居室を配置することができないといった建築計画上の障害が発生していた。
【０００７】
一方、図８（Ｂ）に示すような開断面を有する建物１１１では、梁間方向に梁１１５や耐震壁が配置されているので、居室空間が狭くなりがちであり、この居室の設計の自由度も制限されていた。
特許文献２に記載され開断面を有する建築物では、桁行方向をラーメン構造とし、梁間方向を壁式構造にした複合構造になっており、梁間方向に壁式構造が存在するので、図８（Ｂ）に示す建物１１１と同じ課題があった。
【０００８】
本発明は、このような課題を解決するためになされたもので、平面視で開断面を有する建物の梁間方向の架構を脆弱な構造にして居室空間を広くすることができ、また居室の設計の自由度を増すことができる建物の構造を提供することを目的とする。
【０００９】
【課題を解決するための手段】
図１は、本発明の考え方の前提になる説明図で、開断面を有する建物の平面図である。
平面視で開断面を有する建物において、居室空間を広くでき、またこの居室の設計の自由度を増すには、たとえば、図８（Ｂ）に示す建物１１１では梁１１５を取り除けばよい。
【００１０】
図１は、前記梁１１５（および、梁間方向の耐震壁）を取り除いた場合の建物１２１を示している。この建物１２１では、第１の構造体１１３と第２の構造体１１４により、桁行方向（ここでは、Ｘ方向）の剛性および耐力が確保されている。
しかしながら、梁間方向（ここでは、Ｙ方向）に関しては、梁も耐震壁もないので脆弱な構造であり構造安全性は確保されない。したがって、図１に示す構成の建物１２１は現実には成り立たない。
そこで本発明は、このような平面視で開断面を有する建物において、第１の構造体と第２の構造体を平面視で屈曲または湾曲している。
そして、建物全体の骨組構造体を、桁行方向には構造的に比較的「剛な構造」とし、梁間方向には構造的に比較的「柔な構造」とし、第１の構造体と第２の構造体の一方または両方の構造体が、平面視で直交二方向（Ｘ方向，Ｙ方向）に所定の剛性および耐力を有する剛強な構造にしている。
【００１１】
すなわち、上述の目的を達成するため、本発明にかかる建物の構造は、平面視で開断面を有する建物の構造であって、第１の構造体と第２の構造体が、それぞれ建物の桁行方向を向いて平面視で二列をなすとともに屈曲または湾曲して配置され、第１の構造体と第２の構造体の一方または両方の構造体が、平面視で直交二方向に所定の剛性および耐力を有する剛強な構造であることによりこの直交二方向における建物の構造安全性を確保している。
一つの実施態様として、屈曲または湾曲して二列をなす第１の構造体と第２の構造体とにより一つのブロックを構成し、このブロックを複数組み合わせて建物を構成するのが好ましい。たとえば、建物は三つのブロックを組み合わせたＹ形のスターハウスである。
より好ましい具体的態様として、建物は、複数のブロックが組み合わされて複数のウイングを有しており、少なくとも一つのウイングには、梁間方向に延びて建物のねじり剛性および耐力を向上させるための突出部が形成されている。
建物の梁間方向の構造の剛性および耐力を軽微にするとともに、第１の構造体と第２の構造体の屈曲部または湾曲部およびこれらの近傍では梁間方向に梁および耐震壁を設けないようにするのが好ましい。
第１の構造体側に共用廊下を設けるとともに第２の構造体側にバルコニーを設け、第１の構造体を第２の構造体より剛強な構造にして、主として第１の構造体が平面視で直交二方向に所定の剛性および耐力を有してこの直交二方向における建物の構造安全性を確保しているのが好ましい。
【００１２】
【発明の実施の形態】
以下、本発明にかかる実施の形態の一例を、図２ないし図７を参照して説明する。
図２ないし図７は本発明の実施形態の一例を示す図である。図２（Ａ）は、第１の実施形態にかかる建物の平面図、図２（Ｂ）は、その変形例にかかる建物の平面図、図３は、第１の実施形態の他の各種変形例にかかる建物の概略平面図である。
図４，図５は、それぞれ第２の実施形態，第３の実施形態にかかる建物の平面図、図６は、第３の実施形態を具体化した建物の平面図である。図７（Ａ）は、第４の実施形態にかかる建物の平面図、図７（Ｂ）は、その変形例にかかる建物の平面図である。
【００１３】
図２ないし図７に示す実施形態，変形例では、平面視で開断面を有する建物（たとえば、多層建物）として集合住宅１〜６，１ａ〜１ｍの場合を示している。なお、建物としては、集合住宅のほか事務所ビル，ホテルなどであってもよい。集合住宅１〜６，１ａ〜１ｍにおいて、第１の構造体１０ａと第２の構造体１０ｂが、それぞれ集合住宅の桁行方向（集合住宅の長手方向でＢ方向）を向いて平面視で二列をなすとともに、屈曲または湾曲して配置されている。二列をなす二つの構造体１０ａ，１０ｂは平行であるのが好ましいが、平行でない場合であってもよい。
そして、第１の構造体１０ａと第２の構造体１０ｂの一方または両方の構造体が、平面視で直交二方向（Ｘ方向，Ｙ方向）に所定の剛性および耐力を有する剛強な構造であることにより、この直交二方向における集合住宅の構造安全性を確保している。
【００１４】
図２（Ａ）に示す集合住宅１では、第１の構造体１０ａと第２の構造体１０ｂの両方の構造体が、直交二方向に所定の剛性および耐力を有する剛強な構造になっている。第１の構造体１０ａと第２の構造体１０ｂは、それぞれ桁行方向のラーメン骨組（ラーメン架構）を構成している。
一方、図２（Ｂ）に示す集合住宅２では、第１の構造体１０ａと第２の構造体１０ｂのうち一方の構造体（ここでは、第１の構造体１０ａ）が、直交二方向に所定の剛性および耐力を有する剛強な構造である。
すなわち集合住宅２では、第１の構造体１０ａは、前記集合住宅１の第１の構造体１０ａと同様に桁行方向には構造的に「剛強な構造」であるが、第２の構造体１０ｂは、桁行方向には構造的に「柔な構造」になっている。
こうして、集合住宅２では、第１の構造体１０ａを第２の構造体１０ｂより剛強な構造にして、主として第１の構造体１０ａが、直交二方向に所定の剛性および耐力を有してこの直交二方向における集合住宅２の構造安全性を確保している。
【００１５】
その結果、集合住宅１〜６，１ａ〜１ｍの梁間方向（Ｃ方向）の架構を脆弱な構造にして、居室１１の空間を広くするとともに、この居室１１の設計の自由度を増すことができる。
屈曲または湾曲して二列をなす第１の構造体１０ａと第２の構造体１０ｂにより、一つのブロック１２が構成される。すなわち、図２（Ａ）では一のブロック１２が構成され、図２（Ｂ）では他のブロック１２ａが構成されている。
【００１６】
図２（Ａ），（Ｂ）にそれぞれ示す集合住宅１，２は、その各階（基準階）の桁行方向に延設された共用廊下１３に沿って複数の住戸領域を配置し、共用廊下１３の反対側にバルコニー１４を付設した片廊下方式である。集合住宅１の桁行方向は６スパン、桁行方向と直交（または、直交以外の角度で交差）する梁間方向は１スパン（対向する柱１５，１５間のスパン）である。
各階の平面形状は、梁間方向に狭く桁行方向に細長い板状平面形をなしている。共用廊下１３側の柱１５とバルコニー１４側の柱１５は、所定のスパン長さＬｃ離隔して対向配置されている。
集合住宅１，２の骨組構造体１６ａ，１６ｂは、桁行方向に延びて配置されるとともに屈曲または湾曲している第１の構造体１０ａと第２の構造体１０ｂとを有している。
なお、梁間方向に関しては、第１の構造体１０ａと第２の構造体１０ｂとの間に打設されたスラブ１７が、骨組構造体１６ａ，１６ｂの一部を構成しているが、このスラブ１７の剛性および耐力は微弱である。
ここで、「骨組構造体」とは、柱や梁などの線材，耐震壁や壁ブレースなどの面部材を組み合わせた架構と、それに一体化した二次的構成部材とで構成され、地震力などの外力に対して構造設計上抵抗し得る構造体をいう。
【００１７】
桁行方向に関して、骨組構造体１６ａ（および、骨組構造体１６ｂ）は、互いに対向し且つ平行に配置された二つの構造体１０ａ，１０ｂを有している。第２の構造体１０ｂ側が採光方向（Ｄ方向）の場合、第１の構造体１０ａは共用廊下１３の内側に配置され、第２の構造体１０ｂはバルコニー１４の内側に配置されている。
なお、第１の構造体１０ａが共用廊下１３の外側に配置され、第２の構造体１０ｂがバルコニー１４の外側に配置された、いわゆる「アウトフレーム」の構成であってもよい。
【００１８】
集合住宅１の第１の構造体１０ａ，第２の構造体１０ｂと、集合住宅２の第１の構造体１０ａとにおいて、桁行方向のラーメン骨組は、複数の柱１５と、水平方向に架設されたＰＣ製の複数の外周梁１８とによって構成されている。なお、桁行方向のスパン間の各外周梁１８は、湾曲していてもよいが、真っ直ぐであってもよい。
集合住宅２の第２の構造体１０ｂは、複数の柱１５とスラブ１７のみによる架構であり、柱１５の間には外周梁は架設されていないが、梁せいの低い小寸法の外周梁を設けた場合でもよい。
集合住宅１，２の第１の構造体１０ａ，第２の構造体１０ｂにおいて、複数の柱１５は、共用廊下１３とバルコニー１４の各内縁部に沿って、桁行方向に任意のスパン長さで配置されている。
【００１９】
集合住宅１，２において、第１の構造体１０ａの柱１５と、この柱１５に対向する第２の構造体１０ｂの柱１５とを結んだ梁間方向の架構面１９が、所定のスパン長さＬｃを有し桁行方向に任意のスパン長さ離隔して、複数（ここでは、七つ）設定されている。
架構面１９は、対向する二本の柱１５を結ぶ水平軸線を通る仮想の鉛直面であって、桁行方向の架構面（第１の構造体１０ａ，第２の構造体１０ｂが配置されている仮想の鉛直面）と交差（または、直交）して構成されている。
この架構面１９には、梁，柱，耐震壁などは配置されていない場合が多いが、複数の架構面１９のうち、一部の架構面に梁，柱，耐震壁などを配置した場合であってもよい（図３（Ｆ））。
【００２０】
集合住宅１では、骨組構造体１６ａ全体の構造安全性にとって必要な剛性および耐力を、二つの構造体１０ａ，１０ｂが分散して受け持っている。その結果、各構造体１０ａ，１０ｂがそれぞれ受け持つ剛性および耐力が少なくなるので、柱１５や外周梁１８などの寸法を小さくすることができ、外周梁１８の梁せいも低くなる。
一方、集合住宅２では、骨組構造体１６ｂ全体の構造安全性にとって必要な剛性および耐力のほとんど全部を第１の構造体１０ａが受け持つので、第１の構造体１０ａの柱１５や外周梁１８などの寸法は大型化する。
しかしながら、集合住宅２では、バルコニー１４側（すなわち、居室から外部を望む側）に外周梁を設けなくて済むか、または、バルコニー１４側に外周梁を設けた場合にはこの外周梁を脆弱な構造にしてその梁せいを低くすることが可能になる。このようにすれば、より自由度の高い居室空間を実現可能になる。
【００２１】
集合住宅１，２では、二つの構造体１０ａ，１０ｂは屈曲または湾曲している。したがって、地震時に集合住宅１，２に水平力（地震力）Ｐが作用すると、この水平力Ｐは、Ｘ方向に有効な成分ＰＸと、Ｙ方向に有効な成分ＰＹとに分離することができる。また、Ｙ方向の見付け幅Ｙ１が大きくなるので、転倒モーメントに対して有利になり、集合住宅１，２を多層建物、特に超高層建物にすることが可能になる。
【００２２】
図３（Ａ）〜（Ｍ）にそれぞれ示す集合住宅１ａ〜１ｍは、いずれも平面視で開断面を有する建物である。これらの建物では、第１の構造体１０ａと第２の構造体１０ｂが、それぞれ集合住宅の桁行方向を向いて平面視で二列をなすとともに屈曲または湾曲して配置されている。
そして、第１の構造体１０ａと第２の構造体１０ｂの一方または両方の構造体が、平面視で直交二方向（Ｘ方向，Ｙ方向）に所定の剛性および耐力を有する剛強な構造であることにより直交二方向における集合住宅１ａ〜１ｍの構造安全性を確保している。これにより、前記集合住宅１，２と同じ作用効果を奏する。
集合住宅１ａ，１ｄ，１ｅでは、二つの構造体１０ａ，１０ｂが湾曲した場合を示し、集合住宅１ｂ，１ｃ，１ｆでは、二つの構造体１０ａ，１０ｂが屈曲した場合を示している。集合住宅１ｆでは、一部の柱の間の架構面（梁間方向の架構面）に、耐震壁２１や梁２２を補強のために設けた場合を示している。
【００２３】
本発明では、屈曲または湾曲した二列の第１の構造体１０ａと第２の構造体１０ｂとにより一つのブロック１２（または、ブロック１２ａもしくは１２ｂ）を構成し、このブロックを複数組み合わせて集合住宅を構成することができる。
複数のブロックを組み合わせた集合住宅１ｇ〜１ｍ，３〜６を、図３（Ｇ）〜（Ｍ），図４〜図７に示している。このようにすれば、建物の構造安全性（特に、耐震安全性）を向上させることができる。
図３に示す集合住宅１ｇ〜１ｋは、屈曲した二つのブロック１２ｂを組み合わせた場合を示しており、集合住宅１ｌは湾曲した二つのブロックを組み合わせた場合を示している。
また、集合住宅１ｍでは、屈曲した四つのブロック１２ｂを組み合わせてクロス形状にしている。図４に示す集合住宅３は、図２（Ｂ）に示すブロック１２ａを二つ組み合わせてＶ形（または、逆Ｖ形）に構成した場合を示している。
【００２４】
複数のブロック１２ｂを組み合わせた集合住宅１ｇ〜１ｍ，３〜６では、見付け幅Ｙ１が大きくなるので、転倒モーメントに対して有利になり、建物全体の耐震安全性をより高めることができる。
図２（Ｂ）ではブロック１２ａが湾曲しているが、図４〜図７ではブロック１２ａが屈曲した場合を示している。図４，図５，図７では、集合住宅３〜６において二本線で示す第１の構造体１０ａが剛強な構造体であることを示している。
【００２５】
図４に示す集合住宅３では、共用廊下１３側の第１の構造体１０ａを剛強にしているので、集合住宅３全体のＸ方向，Ｙ方向の耐震安全性を高めることができる。
バルコニー１４側の第２の構造体１０ｂは、脆弱な構造なのでその外周梁を省略するか、または、この外周梁がある場合にはその梁せいを低くすることが可能になる。
なお、各ブロック１２ａの第１の構造体１０ａ同士が背中合わせで配置される部分では、対向する柱１５同士をそれぞれ梁（たとえば、梁２５）で連結するのが好ましい。こうすれば、集合住宅３全体の剛性および耐力が向上して、構造安全性がさらに高まる。
【００２６】
図５，図６に示す集合住宅４は、屈曲した形状の三つのブロック１２ａを組み合わせたＹ形のスターハウスである。ここで、「スターハウス」は、塔状住宅の一つで、その平面がＹ形，星形などのような、いくつかのウイング（翼）を持った形状をしている建物（たとえば、集合住宅）をいう。
この集合住宅４は、図４に示す集合住宅３と同じ作用効果を奏するとともに、この集合住宅３と比較して建物全体のＸ方向，Ｙ方向の構造安全性をさらに高めることができる。
集合住宅４では、梁間方向の構造の剛性および耐力を軽微にするとともに、第１の構造体１０ａと第２の構造体１０ｂの屈曲部（または、湾曲部）２６およびその近傍には、梁間方向に梁および耐震壁が設けられていない。屈曲部２６以外の部分には、もともと梁間方向に梁も耐震壁もない。
したがって、集合住宅４全体で居室１１の空間を広くすることができ、また、この居室１１の設計の自由度が増す。すなわち、屈曲部２６およびこれ以外の部分で、居室部に梁形が出たり耐震壁が邪魔になったりすることはない。
【００２７】
図７（Ａ），（Ｂ）にそれぞれ示す集合住宅５，６は、屈曲（または、湾曲）した形状の複数のブロック（ここでは、三つのブロック１２ａ）が組み合わされて、複数（ここでは、三つ）のウイング３０を有している。集合住宅５，６の基本的な構成は、図５，図６に示す集合住宅４と同様なＹ形のスターハウスである。
集合住宅５，６の少なくとも一つのウイング３０には、突出部３１，３１ａ〜３１ｃが形成されている。梁間方向に延びた突出部３１，３１ａ〜３１ｃは、集合住宅５，６のねじり剛性および耐力を向上させて剛強にしており、ねじれに抵抗する架構を構成している。
【００２８】
集合住宅５では、同じ構成の三つの突出部３１が形成されている。一方、集合住宅６において、突出部３１ａ（符号Ｓ１の部分）は、この突出部３１ａの位置が少し建物の中心寄りのタイプであり、突出部３１ｂ（符号Ｓ２の部分）は、ウイング３０の片側のみに突出したタイプであり、突出部３１ｃ（符号Ｓ３の部分）は、この突出部３１ｃの一部に壁３２などの剛強な部材が配置されたタイプである。
これら集合住宅５，６は、突出部３１，３１ａ〜３１ｃを設けたので、ねじれ方向に外力がかかった場合でも、この外力に対して十分に抵抗して建物の構造安全性をさらに高めることができる。
【００２９】
前記各実施形態および各種変形例にかかる集合住宅１〜６，１ａ〜１ｍの構造は、チューブ構造ではなく平面視で開断面を有する構造であり、居室１１に梁間方向の梁形が出ない。
したがって、住戸割りなど居室の建築計画の自由度が増す。間仕切り計画が制限されず、間取りの自由度が向上し、配線，配管などが簡略化する。また、居室のデザインが向上するとともに見た目もよくなり、居住者の満足度が向上する。
将来の模様替え，用途変更などの計画が容易になり、複雑なディテールによる変更プランではないために、その際のコスト（設計費，材料費，工事費など）も低減する。
【００３０】
図２（Ｂ），図４〜図７に示す集合住宅２〜６では、共用廊下１３側の第１の構造体１０ａを、バルコニー１４側の第２の構造体１０ｂより剛強にしたので、第２の構造体１０ｂの外周梁を省略または脆弱な構造にしてその梁せいを低くすることが可能になる。
したがって、バルコニー１４側の窓枠を大きくして良好な採光，眺望を確保することができ、自由度の高い居室空間を実現できる。梁間方向に梁，耐震壁，柱などがないので、居室空間を広くして有効に使うことができ、高い天井高が得られる。
【００３１】
以上、本発明の各種実施形態（各種変形例を含む）を説明したが、本発明は、上述の実施形態に限定されるものではなく、本発明の要旨の範囲で種々の変形，付加などが可能である。
なお、各図中同一符号は同一または相当部分を示す。
【００３２】
【発明の効果】
本発明は上述のように構成したので、平面視で開断面を有する建物の梁間方向の架構を脆弱な構造にして居室空間を広くすることができ、またこの居室の設計の自由度を増すことができる。
【図面の簡単な説明】
【図１】本発明の考え方の前提になる説明図で、開断面を有する建物の平面図である。
【図２】図２ないし図７は本発明の実施形態の一例を示す図で、図２（Ａ）は第１の実施形態にかかる建物の平面図、図２（Ｂ）はその変形例にかかる建物の平面図である。
【図３】第１の実施形態の他の各種変形例にかかる建物の概略平面図である。
【図４】第２の実施形態にかかる建物の平面図である。
【図５】第３の実施形態にかかる建物の平面図である。
【図６】第３の実施形態を具体化した建物の平面図である。
【図７】図７（Ａ）は第４の実施形態にかかる建物の平面図、図７（Ｂ）はその変形例にかかる建物の平面図である。
【図８】図８（Ａ）はチューブ構造の従来の建物の平面図、図８（Ｂ）は開断面を有する従来の建物の平面図である。
【符号の説明】
１〜６          集合住宅（建物）
１ａ〜１ｍ      集合住宅（建物）
１０ａ          第１の構造体
１０ｂ          第２の構造体
１２，１２ａ，１２ｂ    ブロック
１３            共用廊下
１４            バルコニー
２６            屈曲部
３０            ウイング
３１，３１ａ〜３１ｃ    突出部
Ｂ方向          桁行方向
Ｃ方向          梁間方向
Ｘ方向，Ｙ方向  直交二方向
【図１】
2004316141.tif 000003
【図２】
2004316141.tif 000004
【図３】
2004316141.tif 000005
【図４】
2004316141.tif 000006
【図５】
2004316141.tif 000007
【図６】
2004316141.tif 000008
【図７】
2004316141.tif 000009
【図８】
2004316141.tif 000010